(57)【要約】【課題】観察対象物を拡大して見るための対物レンズを含み、撮像装置に取付けて用いられ、ディスプレイに撮像装置の影を映すことなく、該観察対象物の鮮明かつ明確な拡大画像を見ることができるレンズアタッチメントを提供する。【解決手段】対物レンズ部１５と、対物レンズ部１５の周囲に一体化して設けられた採光部１６と、を含み、透明性材料からなるレンズブロック１０と、レンズアタッチメント１の本体を撮像装置に着脱自在に取り付けるための取付け部１２と、レンズブロック１０、及び取付け部１２を支持する支持部１３と、を少なくとも備え、採光部１６は光出射面２１を有し、対物レンズ部１５を撮像装置のカメラレンズと略同軸上に対向させて撮像装置に取付けた際に、光出射面２１を観察対象物に向けて配置したことを特徴とするレンズアタッチメント。【選択図】図２
2017003898.tif 000002
【特許請求の範囲】
【請求項１】
カメラレンズと撮像素子と前記カメラレンズが捉えた観察対象物の画像を表示するディスプレイとを備える撮像装置に着脱自在に取り付けられるレンズアタッチメントであって、
対物レンズ部と、前記対物レンズ部の周囲に一体化して設けられた採光部と、を含み、透明性材料からなるレンズブロックと、
前記レンズアタッチメントを前記撮像装置に着脱自在に取り付けるための取付け部と、
前記レンズブロック、及び前記取付け部を支持する支持部と、
を少なくとも備え、
前記採光部は光出射面を有し、前記対物レンズ部を前記カメラレンズと略同軸上に対向させて前記撮像装置に取付けた際に、前記光出射面を前記観察対象物に向けて配置したことを特徴とするレンズアタッチメント。
【請求項２】
前記レンズアタッチメントを前記撮像装置に取付けた際に、前記採光部の少なくとも一部が、前記撮像装置によって前記撮像装置の外方と遮られない位置に突出する、請求項１に記載のレンズアタッチメント。
【請求項３】
前記採光部が、前記対物レンズ部の周囲を連続的に又は断続的に周回する溝部を有し、
前記溝部は、前記光出射面として、前記対物レンズ部に対して相対的に近位側にある第１内側面と、相対的に遠位側にある第２内側面と、を有し、前記第１、第２内側面は前記レンズブロックの厚み方向に対して傾斜角を有する斜面である、請求項１又は２に記載のレンズアタッチメント。
【請求項４】
前記第１内側面の前記傾斜角は、該第１内側面が前記対物レンズ部から遠位側にあるほど小さくなる、請求項３に記載のレンズアタッチメント。
【請求項５】
前記採光部が複数の前記溝部を有し、複数の前記溝部が前記対物レンズ部の軸心を中心とする略同心円に設けられた、請求項３又は４に記載のレンズアタッチメント。
【請求項６】
前記支持部に支持される焦点調整部をさらに備え、
前記焦点調整部は、前記支持部への取付け面とは反対側の面が、その周縁部から中心部に向けてなだらかに突出する太鼓形状を有する、請求項１〜５のいずれか一項に記載のレンズアタッチメント。
【請求項７】
前記支持部により支持された前記レンズブロック、及び前記取付け部、並びに前記支持部の外表面を覆うように装着される保護カバーをさらに備える、請求項１〜６のいずれか一項に記載のレンズアタッチメント。
【請求項８】
前記支持部を介して前記焦点調整部及び前記取付け部が対向するように支持され、前記焦点調整部、前記支持部、及び前記取付け部の合計厚みと、前記保護カバーの厚みとが略同じである、請求項１〜７のいずれか一項に記載のレンズアタッチメント。
【請求項９】
前記採光部は、前記対物レンズ部の軸心を中心とした内角６０°以上の領域において、前記対物レンズ部と略同軸上の略円形又は略正多角形に相当する平面形状を有する、請求項１〜８のいずれか一項に記載のレンズアタッチメント。
【請求項１０】
前記撮像装置はデジタルカメラ、デジタルスチルカメラ、デジタルカムコーダ、カメラ付き携帯電話又はスマートフォンである請求項１〜９のいずれか一項に記載のレンズアタッチメント。
【発明の詳細な説明】
【技術分野】
【０００１】
本発明は、レンズアタッチメントに関する。
【背景技術】
【０００２】
携帯電話やスマートフォンに内蔵される撮像装置は、近年長足の進歩を遂げ、大判化された撮像素子の搭載、有効画素数の顕著な増加等により、高機能のコンパクトデジタルカメラ等に匹敵する程の高画質画像を得ることが可能になっている。しかし、携帯電話やスマートフォンの撮像装置に装備されるズーム機能を用いるだけでは、拡大画像の画質の劣化が比較的大きく、観察対象物の明確かつ鮮明な拡大画像を観察したり、撮影したりすることは困難な場合が多い。
【０００３】
従来から、観察対象物の拡大画像を得るために、対物レンズを撮像装置に取付けて用いる提案が多くなされている。例えば、特許文献１は、光を透過するレンズ本体と、両面に粘着剤が塗布されたシート状粘着部材であって、該レンズ本体を撮像装置のカメラレンズ設置面に取り付けるための取付け手段と、カメラレンズに取り入れられる光を遮らないように、取付け手段に設けられた穴と、を備えるレンズを開示する（請求項１、２）。また、特許文献１は、クリップやバネ等の付勢手段により、撮影装置のカメラレンズ設置面に取り付けられるレンズをも開示する（請求項１０、１３）。
【０００４】
特許文献２は、補助レンズと、補助レンズの外周より突出した引き剥がし操作用突片と、補助レンズを撮像装置のカメラレンズの入光口周縁前面に引き剥がし可能に粘着保持させる粘着部材と、を備える補助レンズアダプタ装置を開示する。
【０００５】
特許文献３は、接写レンズと、接写レンズを保持するレンズホルダと、レンズホルダを保持し、かつレンズホルダを介して接写レンズと対向する両側に、接写レンズの光軸と交わる位置を中心とする円形窓が形成された偏平形状筐体と、該筐体の観察対象物を臨む表面において、円形窓の周りに設けられ、観察対象物に接触させるためのほぼ平坦な接触部と、該筐体の撮像装置を臨む表面に設けられ、撮像装置に接着するための両面接着材を接着するほぼ平坦な固定部とを備える接写用ルーペを開示する。
【０００６】
特許文献４は、電子カメラのレンズ面に非球面を含む単レンズを取付けた、超高倍率撮影システムを開示する。
【０００７】
特許文献５は、先端開口部が形成されたカメラ筐体と、カメラ筐体内に配設され、先端開口部を経た光を集光して像を結像する対物レンズ及び結像レンズと、対物レンズ及び結像レンズにより結像された像を撮像する撮像素子と、カメラ筐体に対して外方に延びるように取り付けられた手持ちハンドルと、カメラ筐体と手持ちハンドルとを揺動自在に連結する揺動連結部と、を備え、先端開口部を観察対象物が存在する観察面に当接させるとともに、観察面に対してカメラ筐体を所定角度に保持して、先端開口部が当接した観察面の像を対物レンズ及び結像レンズにより撮像素子の撮像面に結像させて撮像する撮像装置を開示する。
【先行技術文献】
【特許文献】
【０００８】
【特許文献１】特開２００４−０５４２１２号公報
【特許文献２】特開２００４−１９９０１４号公報
【特許文献３】特開２００４−２８６７７６号公報
【特許文献４】特開２００８−１２９５６４号公報
【特許文献５】特開２０１１−００２５８５号公報
【発明の概要】
【発明が解決しようとする課題】
【０００９】
従来のように、撮像装置のカメラレンズに対して同軸上に対物レンズを取り付けた場合、対物レンズの焦点距離が比較的短いことから、明確かつ鮮明な拡大画像を得るためには、対物レンズを観察対象物に近付けることが必要になる。しかしながら、対物レンズを観察対象物に近づけると、撮像装置自体が観察対象物の周囲に光が入射するのを遮ることにより、ディスプレイに撮像装置の影が映ったり、ディスプレイの周縁部が中央部よりも暗くなったりして、観察対象物の拡大画像を明確かつ鮮明に観察し難くなる傾向にある。特に、スマートフォンやカメラ付き携帯電話では、カメラレンズの取付け位置が端部に偏っていることも相俟って、その傾向は非常に顕著になる。
【００１０】
また、撮像装置の中には視野を明るくするためのライトが取り付けられているものもあるが、ライトを点灯しても、影は完全には消えない場合がある。また、ライトの点灯により、ディスプレイの中央部が明るくなり過ぎて、観察対象物の拡大画像が却って不鮮明になる場合もある。
【００１１】
本発明の目的は、観察対象物を拡大して見るための対物レンズを含み、撮像装置に取付けて用いられ、ディスプレイに撮像装置の影を映すことなく、該観察対象物の鮮明かつ明確な拡大画像を見ることができるレンズアタッチメントを提供することである。
【課題を解決するための手段】
【００１２】
本発明者らは、上記課題を解決するために鋭意研究を重ねた結果、対物レンズ部及び対物レンズ部の周囲に一体化された採光部を含み、透明性材料からなるレンズブロックを設け、さらに観察対象物に対して光を出射する光出射面を採光部に設けたレンズアタッチメントを撮像装置に取付けるという構成を見出した。そして、本発明者らは、前記構成を採用することにより、対物レンズ部と観察対象物との間の空間における光量の増大を図ることができるので、対物レンズ部と観察対象物との間が狭くなっても、撮像装置の影がディスプレイに映ることなく、観察対象物の鮮明かつ明確な拡大画像を見ることができ、該レンズアタッチメントを取り付けた撮像装置を、身近な観察対象物を拡大して見ることのできる顕微鏡として手軽に使用できることを見出し、本発明を完成するに至った。
【００１３】
すなわち、本発明は、下記（１）〜（１０）のレンズアタッチメントを提供する。
【００１４】
（１）カメラレンズと撮像素子とカメラレンズが捉えた観察対象物の画像を表示するディスプレイとを備える撮像装置に着脱自在に取り付けられるレンズアタッチメントであって、対物レンズ部と、対物レンズ部の周囲に一体化して設けられた採光部と、を含み、透明性材料からなるレンズブロックと、レンズアタッチメントを撮像装置に着脱自在に取り付けるための取付け部と、レンズブロック、及び取付け部を支持する支持部と、を少なくとも備え、採光部は光出射面を有し、対物レンズ部をカメラレンズと略同軸上に対向させて撮像装置に取付けた際に、光出射面を観察対象物に向けて配置したことを特徴とするレンズアタッチメント。
【００１５】
本発明のレンズアタッチメントによれば、レンズブロックの対物レンズ部により、観察対象物を１０〜３００倍程度拡大して見ることが可能になり、撮像装置を手軽な顕微鏡のように使用することができる。本発明では、対物レンズ部をカメラレンズと略同軸上に対向するように撮像装置に取付けた際に、観察対象物に向けて配置される光出射面を有する採光部を、対物レンズ部の周囲に設けることにより、対物レンズ部と観察対象物との距離が近くなっても、その空間での光量が著しく増加するので、ディスプレイに影が映ることがなく、観察対象物の拡大画像を明確かつ鮮明に見ることができる。
【００１６】
（２）レンズアタッチメントを撮像装置に取付けた際に、採光部の少なくとも一部が、撮像装置によって撮像装置の外方と遮られない位置に突出する、上記（１）のレンズアタッチメント。
上記（２）のレンズアタッチメントによれば、撮像装置に邪魔されることなく、周辺の光を対物レンズ部と観察対象物との空間に取り込むことができるので、観察対象物の拡大画像の画質（明確性及び鮮明性）をさらに向上させることができる。
【００１７】
（３）採光部が、対物レンズ部の周囲を連続的に又は断続的に周回する溝部を有し、溝部は、光出射面として、対物レンズ部に対して相対的に近位側にある第１内側面と、相対的に遠位側にある第２内側面と、を有し、第１、第２内側面はレンズブロックの厚み方向に対して傾斜角を有する斜面である、上記（１）又は（２）のレンズアタッチメント。
上記（３）のレンズアタッチメントによれば、対物レンズ部の側面方向から入射した光や、観察対象物がある方向から入射した光を主に溝部の第１及び第２内側面にて反射させ、観察対象物に向けて出射させることができるので、観察対象物と対物レンズ部との間の空間における光量を顕著に増加させることができる。その結果、ディスプレイに影が映ることなく、観察対象物の明確かつ鮮明な拡大画像を観察することが可能になる。
【００１８】
（４）第１内側面の傾斜角は、該第１内側面が対物レンズ部から遠位側にあるほど小さくなる、上記（３）のレンズアタッチメント。
上記（４）のレンズアタッチメントによれば、採光部による光の取り込み効率のより一層の向上、及び対物レンズ部と観察対象物との間の空間（特に観察対象物及びその周囲の空間）での光量の一層の増加を図ることができる。
【００１９】
（５）採光部が複数の溝部を有し、複数の溝部が対物レンズ部の軸心を中心とする略同心円に設けられた、上記（３）又は（４）のレンズアタッチメント。
上記（５）のレンズアタッチメントによれば、複数の溝部を略同心円状に規則性を持たせて設けることにより、対物レンズ部と観察対象物との間の空間の全領域において光量の均一化を図ることができ、観察対象物の拡大画像の画質向上をもたらすことができる。
【００２０】
（６）支持部に支持される焦点調整部をさらに備え、焦点調整部は、支持部への取付け面とは反対側の面が、その周縁部から中心部に向けてなだらかに突出する太鼓形状を有する、上記（１）〜（５）のいずれかのレンズアタッチメント。
上記（６）のレンズアタッチメントによれば、支持部により支持される焦点調整部の太鼓形状の頂部（中心部）を、観察対象物を載置した面と接触させた状態で、該頂部を支点にしてレンズアタッチメントを縦方向、横方向、及び斜め方向に上下動させるか及び／又は回転させれば、観察対象物に対する対物レンズ部の焦点を容易に調整することができる。
【００２１】
（７）支持部により支持されたレンズブロック、及び取付け部、並びに支持部の外表面を覆うように装着される保護カバーをさらに備える、上記（１）〜（６）のいずれかのレンズアタッチメント。
上記（７）のレンズアタッチメントによれば、レンズアタッチメントを保存したり、持ち運んだりする際に、特にレンズブロックや取付け部の損傷を防ぐことができ、レンズアタッチメントの長期間の使用が可能になる。
【００２２】
（８）支持部を介して焦点調整部及び取付け部が対向するように支持され、焦点調整部、支持部、及び取付け部の合計厚みと、保護カバーの厚みとが略同じである、上記（１）〜（７）のいずれかのレンズアタッチメント。
上記（８）のレンズアタッチメントによれば、レンズアタッチメントから保護カバーを取り外したレンズアタッチメント本体を撮像装置に取付けた際に、レンズアタッチメント本体の撮像装置に対する取付け位置と離れた位置で、保護カバーを観察対象物を載置した面と撮像装置との間に配置し、撮像装置の置台として使用することができる。保護カバーはレンズアタッチメント本体の最厚部（焦点調整部、支持部及び取付け部の合計厚み）とほぼ同じ厚みなので、場合によっては、対物レンズ部の焦点調整を行なうことなく、観察対象物の拡大画像を見ることができる。また、保護カバーは撮像装置に固定されていないので、焦点調整部が太鼓形状である場合は、焦点の微調整を容易に実施することもできる。
【００２３】
（９）採光部は、対物レンズ部の軸心を中心とした内角６０°以上の領域において、対物レンズ部と略同軸上の略円形又は略正多角形に相当する平面形状を有する、上記（１）〜（８）のいずれかのレンズアタッチメント。
上記（９）のレンズアタッチメントによれば、対物レンズ部と観察対象物との間の空間における光量のより一層の均一化を図ることができる。
【００２４】
（１０）撮像装置はデジタルカメラ、デジタルスチルカメラ、デジタルカムコーダ、カメラ付き携帯電話又はスマートフォンである上記（１）〜（９）のいずれかのレンズアタッチメント。
上記（１０）のレンズアタッチメントによれば、上記のような携帯可能な撮像装置にレンズアタッチメントを取り付けることにより、万人がそれぞれの好みに合わせて利用可能な携帯型顕微鏡として用いることができる。
【発明の効果】
【００２５】
本発明のレンズアタッチメントを撮像装置に取付けることにより、観察対象物を拡大して見るために対物レンズを用いるにもかかわらず、ディスプレイに撮像装置の影を映すことなく、該観察対象物の鮮明かつ明確な拡大画像を見ることができる。
【図面の簡単な説明】
【００２６】
【図１】レンズアタッチメント本体を撮像装置に取り付けた状態を示す側面図である。
【図２】図１に示すレンズアタッチメント本体を備えた第一実施形態のレンズアタッチメントの構成を模式的に示す分解斜視図である。
【図３】図１に示すレンズアタッチメント本体の構成を模式的に示す分解斜視図である。
【図４】（ａ）及び（ｂ）はそれぞれ図１に示すレンズアタッチメント本体、及び図２に示すレンズアタッチメントの構成を模式的に示す断面図である。
【図５】レンズブロックの構成を示す模式図である。
【図６】焦点調整部による焦点調整方法を模式的に示す側面図である。
【図７】保護カバーの別の利用方法を説明する側面面である。
【図８】別形態の保護カバーの構成を模式的に示す斜視図である。
【図９】別形態のレンズアタッチメントの構成を模式的に示す側面図である。
【図１０】さらに別形態のレンズアタッチメントの構成を模式的に示す側面図である。
【発明を実施するための形態】
【００２７】
以下、第一実施形態のレンズアタッチメント１について図面を参照しつつ詳しく説明する。図１は、レンズアタッチメント本体２を撮像装置１００に取り付けた状態を示す側面図である。なお、レンズアタッチメント本体２とは、レンズアタッチメント１から後述する保護カバー１４を取り外したものをいう。図２は、レンズアタッチメント本体２を備えた第一実施形態のレンズアタッチメント１の構成を模式的に示す分解斜視図である。図３は、レンズアタッチメント本体２の構成を模式的に示す分解斜視図である。図４（ａ）は、レンズアタッチメント本体２の構成を模式的に示す断面図であり、図４（ｂ）はレンズアタッチメント１の構成を模式的に示す断面図である。なお、図４では隔壁３２の図示を省略している。
【００２８】
第一実施形態のレンズアタッチメント１は、図１に示すように、保護カバー１４を取り外したレンズアタッチメント本体２として、カメラレンズと撮像素子とカメラレンズが捉えた観察対象物の画像を表示するディスプレイ（いずれも不図示）とを備える撮像装置１００に着脱自在に取り付けられる。より具体的には、レンズアタッチメント本体２は、後述する対物レンズ部１５が撮像装置１００のカメラレンズと略同軸上に対向するように、撮像装置１００に取り付けられる。
【００２９】
ここで、撮像装置１００としては特に限定されないが、持ち運びが容易な撮像装置１００が好ましく、例えば、デジタルカメラ、デジタルスチルカメラ、デジタルカムコーダ、カメラ付き携帯電話、スマートフォン等が挙げられる。これらの中でもカメラ付き携帯電話やスマートフォンが特に好ましい。レンズアタッチメント１を持ち運びが容易な撮像装置１００に取付けることにより、日常の様々な場面で、例えば、動植物や、各種機器類の内部構造等を拡大して観察及び撮影することが可能になり、使用者の自然科学に対する興味や理解等を高めることができる。
【００３０】
レンズアタッチメント１は、図２〜図４に示すように、レンズブロック１０、焦点調整部１１、及び取付け部１２が支持部１３により支持されたレンズアタッチメント本体２と、レンズアタッチメント本体２に装着される保護カバー１４と、を備える。以下、レンズアタッチメント本体２を構成する各部材について順に説明する。
【００３１】
図５は、レンズブロック１０の構成を示す模式図である。図５において、（ａ）は斜視図、（ｂ）は上面図、（ｃ）は側面図、（ｄ）は断面図である。レンズブロック１０は透明性材料からなり、図５に示すように、半円状の平面形状を有する光学系部１０Ａと略方形の平面形状を有する嵌入部１０Ｂとがレンズブロック１０の長手方向に連設された板状部材である。光学系部１０Ａには、対物レンズ部１５と、対物レンズ部１５の周囲に一体化された採光部１６とが設けられ、嵌入部１０Ｂには光学系部１０Ａから遠位側の縁辺１０ｘの略中央からレンズブロック１０の外方に突出する係止部１７が設けられている。
【００３２】
光学系部１０Ａにおいて、対物レンズ部１５を構成する対物レンズとしては特に限定されないが、例えば、両面非球面レンズが好ましく用いられる。このような対物レンズを用い、対物レンズの焦点距離、レンズ厚み、有効径、ワークディスタンス（ＷＤ）、絞り、撮像装置１００と対物レンズとの距離等を適宜調整し、必要に応じて撮像装置１００のデジタルズーム機能を利用することにより、観察対象物（不図示）の１０〜３００倍程度の拡大画像を容易に観察又は撮影することができる。
【００３３】
また、対物レンズ部１５を構成する透明性材料としては、可視光領域での光透過性の高い材料が好ましく、例えば、ポリメチルメタクリレート、脂肪族環状ポリオレフィン（ＣＯＰ）及びその共重合体（ＣＯＣ）、ポリカーボネート等が挙げられる。対物レンズは、所定の波長領域の光を通すフィルター機能を有するものでもよい。このフィルター機能を有することより、赤外線像等の、可視光領域以外の像を選択的に観察できる。より具体的には、例えば、撮像装置１００にレンズアタッチメント本体２を取り付けて建造物の外壁診断を行なう場合、表面情報だけでなく深部の情報をも得ることができる。
【００３４】
採光部１６は、対物レンズ部１５と一体化され、対物レンズ部１５の周囲に設けられている。本実施形態の採光部１６は、対物レンズ部１５の周囲を連続的に円環状に周回する複数の溝部２０からなる。複数の溝部２０は、対物レンズ部１５の軸心（光軸）を中心にして略同心円状に設けられている。本実施形態では、複数の溝部２０が形成されているが、これに限定されず、１個の溝部２０を形成してもよい。また、複数の溝部２０は同心円状すなわち隣り合う溝部２０間の距離が略一定になるように形成されているが、これに限定されず、隣り合う溝部２０間の距離が部分的に異なるように形成してもよい。また、溝部２０は連続的な円環状として形成されているが、これに限定されず、断続的すなわち破線状に形成されていてもよい。
【００３５】
溝部２０は断面視Ｖ字状の形状であり、光出射面２１として、対物レンズ部１５に対して相対的に近位側にある第１内側面２１ｘ、及び対物レンズ部１５に対して相対的に遠位側にある第２内側面２１ｙを有している。第１、第２内側面２１ｘ、２１ｙはいずれもレンズブロック１０の厚み方向に対して傾斜角を有する傾斜面となっている。第１、第２内側面２１ｘ、２１ｙの傾斜角はそれぞれ特に限定されず、また、第１内側面２１ｘの傾斜角と第２内側面２１ｙの傾斜角とは同じでも異なっていても良い。本実施形態では、溝部２０は断面視Ｖ字状の形状を有しているが、傾斜面である内側面を有する形状であれば特に限定されず、該形状としては、例えば、断面視台形状等が挙げられる。
【００３６】
光出射面２１は、対物レンズ部１５を撮像装置１００のカメラレンズに対して略同軸上に対向配置した際に、観察対象物の方向に向くように配置され、対物レンズ部１５の側面方向から採光部１６に入射した光や、観察対象物がある方向から採光部１６に入射した光を反射し、主に観察対象物に向けて出射するように構成される。このため、観察対象物の拡大画像を得るために、対物レンズ部１５を観察対象物に近付けても、光出射面２１から観察対象物に向けて反射する光により、対物レンズ部１５と観察対象物との間の空間における光量が顕著に増加し、撮像装置１００の影がディスプレイに映り込むこと等が防止され、観察対象物の明確かつ鮮明な拡大画像を得ることができる。
【００３７】
本実施形態では、第１内側面２１ｘは、対物レンズ部１５から遠位側にあるほど、その傾斜角が小さくなるように構成されているので、光を観察対象物及びその近傍に出射し易くなり、観察対象物のより一層明確かつ鮮明な拡大画像を得ることができる。
【００３８】
採光部１６は対物レンズ部１５と同じ透明性材料で構成されていてもよいが、本実施形態では、対物レンズ部１５を構成する透明性材料よりも機械強度又は剛性の高い透明性材料で構成されている。
【００３９】
また、採光部１６は、対物レンズ部１５の軸心（光軸）を中心とした内角６０°以上、好ましくは６０°〜３６０°の領域において、対物レンズ部１５とほぼ同軸上の略円形又は略正多角形に相当する平面形状を有するように構成されることが好ましい。この構成によれば、対物レンズ部１５と観察対象物との間の空間における光量のより一層の均一化を図ることができ、観察対象物のより一層明確かつ鮮明な、ムラのない拡大画像を得ることができる。
【００４０】
嵌入部１０Ｂは、後述する支持部１３に形成された穴２５ａに嵌入され、その係止部１７が穴２５ａ内に設けられた係止機構（不図示）により着脱自在に係合されることにより、レンズブロック１０が支持部１３に連結され、支持される。
【００４１】
焦点調整部１１は、本実施形態では支持部１３に一体化され、その表面が焦点調整面２２となり、例えば、対物レンズ部１５の観察対象物に対する焦点を合わせるために用いられる。焦点調整面２２は、その周縁部から中心部に向けてなだらかに突出し、中心部が頂部２４となる太鼓形状を有している。焦点調整部１１は、レンズアタッチメント本体２を撮像装置１００に取付けた際に、例えば、観察対象物又は観察対象物が載置された面に少なくとも焦点調整面２２の頂部２４が接するように配置して用いられる。
【００４２】
図６は、焦点調整部１１による焦点調整方法を模式的に示す側面図である。図６（ａ）に示すように、撮像装置１００に取付けられたレンズアタッチメント本体２の焦点調整面２２の頂部２４を観察対象物１０１の載置面１０２に接した状態とする。次に、図６（ｂ）に示すように、載置面１０２に接した頂部２４を軸（支点）にして矢符１０３、１０４のように上下左右への移動及び／又は回転を行ない、対物レンズ部１５と観察対象物１０１との距離Ｓを調整することにより、対物レンズ部１５の観察対象物１０１に対する焦点を合わせることができる。このような焦点調整は、シーソー型焦点調整手段の一例である。
【００４３】
焦点調整部１１により、レンズアタッチメント本体２と観察対象物１０１との間の空間における光量を減らすことなく焦点調整を容易に実施できるが、これに限定されず、焦点調整部１１を設けていないレンズアタッチメントを取り付けた撮像装置１００を観察対象物１０１に対して近接又は離反又は回転させることにより焦点調整を行なってもよい。また、焦点調整部１１に代わる公知の焦点調整部材又は焦点調整機構を用いてもよい。
【００４４】
焦点調整部１１は、本実施形態のように支持部１３と一体成形してもよく、また、焦点調整部１１を支持部１３とは別部材とし、かつ支持部１３に焦点調整部１１の取付け面（不図示）を設け、該取付け面と、焦点調整部１１の焦点調整面２２とは反対側の面とを、例えば、接着剤等での接着、熱融着等の方法で接着することにより、支持部１３に固定してもよい。また、本実施形態の焦点調整部１１は、上面視略方形状の平面形状を有しているが、中心部が頂部２４となる太鼓形状の焦点調整面２２を有するものであればその平面形状は特に限定されず、円形、楕円形、多角形、台形、星形等の任意の形状とすることができる。
【００４５】
取付け部１２は、レンズアタッチメント本体２を撮像装置１００に対して着脱自在に取り付けるための部材であり、本実施形態では支持部１３を介して焦点調整部１１の設置位置と対向する位置に取付けられる。本実施形態の取付け部１２は、繰返し着脱が可能な粘着シートから構成される。このような粘着シートとして各種市販品を使用することができ、市販品の具体例として、ゲルタックシート、クリアアタックシート（いずれも商品名、ポリウレタン製、（株）エクシールコーポレイション製）等が挙げられる。取付け部１２は粘着シートに限定されず、例えば、ばねを利用したクリップタイプの取付け部を設けてもよい。このような取付け部は、撮像装置１００への取付け及び取り外しが容易である。
【００４６】
支持部１３は、レンズブロック１０、焦点調整部１１、及び取付け部１２を支持する板状部材である。支持部１３は、より具体的には、レンズブロック１０を支持するレンズブロック支持部２５と、レンズブロック支持部２５に連設され、焦点調整部１１及び取付け部１２を支持する把持部２６と、後述する保護カバー１４のレンズアタッチメント本体２への装着時に保護カバー１４の脱落を防止するための係止ピン２７ａ、２７ｂと、を有する。これらは、一体成形されていることが好ましい。
【００４７】
レンズブロック支持部２５は、支持部１３の長手方向の一方の端部に設けられ、レンズブロック１０の嵌入部１０Ｂを嵌入するための穴２５ａと、穴２５ａの内部に設けられ、嵌入部１０Ｂの係止部１７を着脱自在に係合するための係止機構（不図示）と、を有している。レンズブロック支持部２５は、レンズブロック１０の嵌入部１０Ｂを穴２５ａに嵌入しかつ係止部１７と上記係止機構とを係合することにより、レンズブロック１０を支持する。
【００４８】
把持部２６は、支持部１３の長手方向においてレンズブロック支持部２５に連設され、一方の表面に取付け部１２を嵌入固定するための凹部３０が形成され、支持部１３に一体化された焦点調整部１１と取付け部１２とは格子状の隔壁３２により離間されている。、把持部２６の幅長さはレンズブロック支持部２５よりも小さくなっている。なお、焦点調整部１１を支持部１３とは別部材とする場合には、隔壁３２を介して凹部３０と対向する別の凹部を設け、該凹部に焦点調整部１１を嵌入及び固定してもよい。勿論、把持部２６を平坦な板状に形成し、その両側に焦点調整部１１及び取付け部１２を貼り付けてもよい。
【００４９】
係止ピン２７ａ、２７ｂは、レンズブロック支持部２５の幅方向両端から、把持部２６の幅方向両縁辺２６ａ、２６ｂに沿ってかつ該両縁辺２６ａ、２６ｂと離隔して垂下し、把持部２６のレンズブロック支持部２５とは反対側の端部近傍まで延び、平面視略逆Ｌ字状、及び平面視略Ｌ字状の形状を有している。係止ピン２７ａ、２７ｂは、後述する保護カバー１４をレンズアタッチメント本体２に固定し、その脱落を防止する。また、係止ピン２７ａ、２７ｂの各側面における端部近傍には凸部２８ａ、２８ｂが設けられている。
【００５０】
保護カバー１４は、レンズアタッチメント本体２の外表面を覆うように該本体２に装着され、該本体２に備わる各部材を保護するキャップ状部材である。本実施形態では、保護カバー１４は、その厚み方向の両方の表面形状が、レンズブロック１０の表面形状に対応するように構成されている。保護カバー１４を透明性材料で作製し、かつ前記構成を採用すれば、保護カバー１４を装着した状態のレンズアタッチメント１を撮像装置１００に重ね合せ、下見用として観察対象物１０１の拡大画像を観察できる。
【００５１】
また、本実施形態の保護カバー１４は、レンズブロック１０及び取付け部１２の外表面を覆い、支持部１３の外表面の一部を覆うように構成される。このように、保護カバー１４が、焦点調整部１１を除くレンズアタッチメント本体２の外表面を覆うことにより、保護カバー１４の厚みと、レンズアタッチメント本体２の最大厚み（本実施形態では焦点調整部１１、支持部１３及び取付け部１２の合計厚み）とが略同じになるように構成することができる。この構成により得られる利点を図７に基づいて説明する。
【００５２】
図７は、保護カバー１４の厚みとレンズアタッチメント本体２の最大厚みとが略同じである場合の、保護カバー１４の利用方法を説明する側面面である。レンズアタッチメント本体２が取付けられた撮像装置１００は、焦点調整部１１の焦点調整面２２の頂部２４が観察対象物１０１の載置面１０２に接するように配置される。そして、頂部２４の載置面１０２との接触部分とは離れた位置で、撮像装置１００と載置面１０２との間に保護カバー１４を配置する。すなわち、保護カバー１４は撮像装置１００の置台として使用される。
【００５３】
上記のように保護カバー１４を置台として使用すれば、場合によっては、対物レンズ部１５の焦点調整を行なうことなく、観察対象物の拡大画像を安定した状態で見ることができる。また、保護カバー１４は撮像装置１００及び載置面１０２に固定されていないので、焦点調整部１１が太鼓形状である場合は、焦点の微調整も容易に実施することができる。さらに、このように構成すれば、焦点調整部１１の外表面が保護されていないにもかかわらず、全体としての略同じ厚みを有することになるので、焦点調整部１１の外表面の損傷が少なくなるという別の利点もある。
【００５４】
保護カバー１４の幅方向両側面には、支持部１３の凸部２８ａ、２８ｂの形成位置と対応する位置に係止穴２９ａ、２９ｂが設けられ、凸部２８ａ、２８ｂと係止穴２９ａ、２９ｂとが係合することによっても、保護カバー１４がレンズアタッチメント本体２に固定される。
また、保護カバー１４のレンズアタッチメント本体２への装着方向とは反対側の先端部には、レンズアタッチメント１をポケット、鞄等から取り出すためのストラップ取付け穴４０が設けられているが、ストラップ取付け穴４０はあってもなくてもよい。
【００５５】
本実施形態の保護カバー１４は、焦点調整部１１を除くレンズアタッチメント本体２の外表面を覆うように形成されているが、これに限定されず、レンズアタッチメント本体２の外表面の略全体を覆うように形成してもよい。
【００５６】
また、保護カバー１４の表面に好ましくは表面端部に、例えば１０μｍ単位の目盛を刻印し、観察対象物１０１を拡大して観察する際に、観察対象物１０１と共に前記目盛部分をディスプレイに映し、必要に応じて焦点を合わせることにより、拡大倍率の確認や観察対象物１０１の内部の細部構造の概略寸法の測定等を実施することができる。
【００５７】
図８は、別形態の保護カバー１４Ａの構成を模式的に示す斜視図である。保護カバー１４Ａは、厚み方向両側の表面形状が平坦面である以外は、保護カバー１４と同じ構成を有する。
【００５８】
レンズアタッチメント１を、観察対象物のスケール測長に用いるための一実施形態を挙げる。本実施形態では、レンズアタッチメント１は、その付属品として、スケールゲージを備えている。スケールゲージは、印刷物でも、スケールが刻印又は印刷された定規状の構造物でも良い。まず、レンズアタッチメント１と共に利用される撮像装置１００によりスケールゲージの画像を取り込むことによって、ルーラーを作製し、透明画像として撮像装置１００に保存しておく。次に、観察対象物の拡大画像をディスプレイ上で観察する際に、その拡大画像にルーラーの透明画像を重ね合せて表示することにより、観察対象物のスケール測長を容易に実施することができる。。
【００５９】
このように、スケールゲージ画像の取り込みにより、ルーラーを透明画像として取り込み保存する工程、及びルーラーの透明画像を呼び出して、ディスプレイ上で観察対象物の拡大画像に重ね合せる工程を含むアプリケーションを、撮像装置１００に搭載しておくことにより、観察対象物のスケールを明確に確認することができる。
【００６０】
図９は、別形態のレンズアタッチメント３の構成を模式的に示す側面図である。レンズアタッチメント３のレンズアタッチメント１と共通する部材については、レンズアタッチメント１と同じ参照符号を付して説明を省略する。レンズアタッチメント３は、半円状の平面形状を有する光学系部３６と略方形の平面形状を有する嵌入部１０Ｂとが一体化された板状部材であるレンズブロック３５を有することを特徴とする。光学系部３６は、対物レンズ部（不図示）と、対物レンズ部の周囲に一体化された採光部３７とを含み、採光部３７は、採光部１６と同様に対物レンズ部の周囲を互いに離隔して略同心円状に周回する複数の溝部（不図示）を有し、採光部１６よりも大径であり、少なくとも一部が撮像装置１００よりも外方に突出するように構成されていることを特徴とする。
【００６１】
上記のような採光部３７を有することにより、レンズアタッチメント３の本体が取付けられた撮像装置１００を上面から見た場合に、採光部３７の少なくとも一部が撮像装置１００よりも長手方向及び幅方向にはみだした状態となる。すなわち、採光部３７の一部が、撮像装置１００によって撮像装置１００の外方と遮られない位置に突出した状態となる。このように、採光部３７が撮像装置１００よりも外方に突出することにより、撮像装置１００に邪魔されることなく、周辺の光を対物レンズ部と観察対象物との空間に取り込むことができるので、観察対象物の拡大画像の画質（明確性及び鮮明性）をさらに向上させることができる。
【００６２】
本実施形態では、採光部３７の一部が撮像装置１００の長手方向及び幅方向に突出するように構成しているが、これに限定されず、長手方向のみ又は幅方向のみに突出するように構成することもできる。
【００６３】
図１０は、さらに別形態のレンズアタッチメント４の構成を模式的に示す側面図である。レンズアタッチメント４は、レンズアタッチメント１の構成に加えて、焦点調整部１１における焦点調整面２２の頂部２４に透明板３３が取付けられていることを特徴とする。透明板３３は、一方の端部３３ａがディスプレイ上の観察対象物の拡大画像の周縁部に映り込むように構成されている。そして、透明板３３の一端部３３ａの観察対象物を臨む側の表面には、ディスプレイ上の拡大画像と対応するように透明板３４の長さ方向及び／又は幅方向にスケール（目盛）３４が設けられている。透明板３３は、例えば透明性プラスチック等から作製される。このように構成すれば、観察対象物のスケールをほぼ正確にかつ極めて容易に測長できるので、本発明のレンズアタッチメントを、単なる顕微鏡的な用途だけでなく、基礎的な予備研究機器としても使用することが可能になる。
【００６４】
以上、本発明の実施形態について説明したが、本発明は前述した実施形態に何ら限定されるものではなく、本発明の要旨を逸脱しない範囲においてその構成を適宜変更し得ることは勿論である。
【符号の説明】
【００６５】
１、３、４  レンズアタッチメント
２  レンズアタッチメント本体
１０、３５  レンズブロック
１０Ａ、３６  光学系部
１０Ｂ  嵌入部
１１  焦点調整部
１２  取付け部
１３  支持部
１４、１４Ａ  保護カバー
１５  対物レンズ部
１６、３７  採光部
１７  係止部
２０  溝部
２１  光出射面
２１ｘ  第１内側面
２１ｙ  第２内側面
２２  焦点調整面
２４  頂部
２５  レンズブロック支持部
２６  把持部
２７ａ、２７ｂ  係止ピン
２８ａ、２８ｂ  凸部
２９ａ、２９ｂ  係合穴
３０  凹部
３２  隔壁
３３  透明板
４０  ストラップ取付け穴
１００  撮像装置
１０１  観察対象物
１０２  載置面
【図１】
2017003898.tif 000003
【図２】
2017003898.tif 000004
【図３】
2017003898.tif 000005
【図４】
2017003898.tif 000006
【図５】
2017003898.tif 000007
【図６】
2017003898.tif 000008
【図７】
2017003898.tif 000009
【図８】
2017003898.tif 000010
【図９】
2017003898.tif 000011
【図１０】
2017003898.tif 000012